(57)【要約】  本発明は、通信方法及び通信デバイスを提供する。前記通信方法は、通信デバイスが第１無線フレームを生成することと、通信デバイスが第１無線フレームを送信することとを含み、第１無線フレーム内の１番目のシンボルの時間領域の長さが第１無線フレーム内のその他のシンボルの時間領域の長さより大きい。前記通信方法は、通信デバイスが第１無線フレームを生成することと、通信デバイスが第１無線フレームを送信することとを含み、第１無線フレーム内の全てのシンボルの時間領域の長さが等しく、第１無線フレームの最初のＭ個のシンボルに搬送されるシーケンスが通信デバイスに知られるシーケンスであり、Ｍが正の整数である。本発明の通信方法及び通信デバイスは、無線通信システムにおける通信デバイスの間の通信を実現することができる。
2019527966.tif 000002
【特許請求の範囲】
【請求項１】
通信方法であって、
通信デバイスは、第１無線フレームを生成することと、
前記通信デバイスは、前記第１無線フレームを送信することとを含み、
前記第１無線フレーム内の１番目のシンボルの時間領域の長さは、前記第１無線フレーム内のその他のシンボルの時間領域の長さより大きい
ことを特徴とする通信方法。
【請求項２】
前記１番目のシンボルに搬送されるシーケンスは、前記通信デバイスに知られるシーケンスである
ことを特徴とする請求項１に記載の通信方法。
【請求項３】
前記通信方法は、さらに、
前記通信デバイスが、少なくとも１つの第２無線フレームを送信することを含み、
前記第２無線フレーム内の全てのシンボルの時間領域の長さは等しい
ことを特徴とする請求項１又は２に記載の通信方法。
【請求項４】
前記１番目のシンボルの時間領域の長さは、１／（１５キロヘルツ）であり、前記その他のシンボルの時間領域の長さは、１／（１５キロヘルツ）／２ｋであり、ｋが正の整数である
ことを特徴とする請求項１〜３のいずれか１項に記載の通信方法。
【請求項５】
前記通信方法は、さらに、
前記通信デバイスが、第３無線フレームを生成することと、
前記通信デバイスが、前記第３無線フレームを送信することとを含み、
前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数である
ことを特徴とする請求項１〜４のいずれか１項に記載の通信方法。
【請求項６】
前記最初のＭ個のＯＦＤＭシンボルの総時間領域の長さは、１／（１５キロヘルツ）である
ことを特徴とする請求項５に記載の通信方法。
【請求項７】
前記第３無線フレーム内の各シンボルの時間領域の長さは、１／（１５キロヘルツ）／２ｋである
ことを特徴とする請求項５又は６に記載の通信方法。
【請求項８】
前記通信デバイスは、基地局であり、
前記通信方法は、さらに、
前記通信デバイスが、前記第３無線フレームを送信する前に、前記通信デバイスが前記第３無線フレームを送信するように指示するための指示情報を送信することを含む
ことを特徴とする請求項５〜７のいずれか１項に記載の通信方法。
【請求項９】
前記通信デバイスは、基地局であり、
前記通信方法は、さらに、
前記通信デバイスが、前記第１無線フレームを送信する前に、前記通信デバイスが前記第１無線フレームを送信するように指示するための指示情報を送信することを含む
ことを特徴とする請求項１〜８のいずれか１項に記載の通信方法。
【請求項１０】
前記通信デバイスは、端末デバイスであり、
前記通信方法は、さらに、
前記通信デバイスが、前記第３無線フレームを送信する前に、基地局により送信された、前記通信デバイスが前記基地局に前記第３無線フレームを送信する必要があるように指示するための指示情報を受信することを含む
ことを特徴とする請求項５〜７のいずれか１項に記載の通信方法。
【請求項１１】
前記通信デバイスは、端末デバイスであり、
前記通信方法は、さらに、
前記通信デバイスが、前記第１無線フレームを送信する前に、基地局により送信された、前記通信デバイスが前記基地局に前記第１無線フレームを送信する必要があるように指示するための指示情報を受信することを含む
ことを特徴とする請求項１〜７、１０のいずれか１項に記載の通信方法。
【請求項１２】
通信方法であって、
通信デバイスは、第１無線フレームを生成することと、
前記通信デバイスは、前記第１無線フレームを送信することと、を含み、
前記第１無線フレーム内の全てのシンボルの時間領域の長さは等しく、前記第１無線フレームの最初のＭ個のシンボルに搬送されるシーケンスは、前記通信デバイスに知られるシーケンスであり、Ｍが正の整数である
ことを特徴とする通信方法。
【請求項１３】
前記最初のＭ個のＯＦＤＭシンボルの総時間領域の長さは、１／（１５キロヘルツ）である
ことを特徴とする請求項１２に記載の通信方法。
【請求項１４】
前記第１無線フレーム内の各シンボルの時間領域の長さが１／（１５キロヘルツ）／２ｋであり、ｋが正の整数である
ことを特徴とする請求項１２又は１３に記載の通信方法。
【請求項１５】
前記通信デバイスは、基地局であり、
前記通信方法は、さらに、
前記通信デバイスが、前記第１無線フレームを送信する前に、前記通信デバイスが前記第１無線フレームを送信するように指示するための指示情報を送信することを含む
ことを特徴とする請求項１２〜１４のいずれか１項に記載の通信方法。
【請求項１６】
前記通信デバイスは、端末デバイスであり、
前記通信方法は、さらに、
前記通信デバイスが、前記第１無線フレームを送信する前に、基地局により送信された、前記通信デバイスが前記基地局に前記第１無線フレームを送信する必要があるように指示するための指示情報を受信することを含む
ことを特徴とする請求項１２〜１４のいずれか１項に記載の通信方法。
【請求項１７】
通信方法であって、
通信デバイスは、第１無線フレームを受信することと、
前記通信デバイスは、前記第１無線フレームに基づいて処理を行うことと、を含み、
前記第１無線フレーム内の１番目のシンボルの時間領域の長さは、前記第１無線フレーム内のその他のシンボルの時間領域の長さより大きい
ことを特徴とする通信方法。
【請求項１８】
前記１番目のシンボルに搬送されるシーケンスは、前記通信デバイスに知られるシーケンスである
ことを特徴とする請求項１７に記載の通信方法。
【請求項１９】
前記通信方法は、さらに、
前記通信デバイスが、少なくとも１つの第２無線フレームを受信することを含み、
前記第２無線フレーム内の全てのシンボルの時間領域の長さは等しい
ことを特徴とする請求項１７又は１８に記載の通信方法。
【請求項２０】
前記１番目のシンボルの時間領域の長さは、１／（１５キロヘルツ）であり、前記その他のシンボル内のシンボルの時間領域の長さは１／（１５キロヘルツ）／２ｋであり、ｋが正の整数である
ことを特徴とする請求項１７〜１９のいずれか１項に記載の通信方法。
【請求項２１】
前記通信方法は、さらに、
通信デバイスが、第３無線フレームを受信することを含み、
前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数である
ことを特徴とする請求項１７〜２０のいずれか１項に記載の通信方法。
【請求項２２】
前記最初のＭ個のＯＦＤＭシンボルの総時間領域の長さは、１／（１５キロヘルツ）である
ことを特徴とする請求項２１に記載の通信方法。
【請求項２３】
前記第３無線フレーム内の各シンボルの時間領域の長さは、１／（１５キロヘルツ）／２ｋである
ことを特徴とする請求項２１又は２２に記載の通信方法。
【請求項２４】
前記通信デバイスは、基地局であり、
前記通信方法は、さらに、
前記通信デバイスが、前記第３無線フレームを受信する前に、端末デバイスが前記通信デバイスに第３無線フレームを送信するように指示するための指示情報を前記端末デバイスに送信することを含む
ことを特徴とする請求項２１〜２３のいずれか１項に記載の通信方法。
【請求項２５】
前記通信デバイスは、基地局であり、
前記通信方法は、さらに、
前記通信デバイスが、前記第１無線フレームを受信する前に、端末デバイスが前記通信デバイスに前記第１無線フレームを送信するように指示するための指示情報を前記端末デバイスに送信することを含む
ことを特徴とする請求項１７〜２４のいずれか１項に記載の通信方法。
【請求項２６】
前記通信デバイスは、端末デバイスであり、
前記通信方法は、さらに、
前記通信デバイスが、前記第３無線フレームを受信する前に、基地局により送信された、前記基地局が前記通信デバイスに第３無線フレームを送信するように指示するための指示情報を受信することを含む
ことを特徴とする請求項２１〜２３のいずれか１項に記載の通信方法。
【請求項２７】
前記通信デバイスは、端末デバイスであり、
前記通信方法は、さらに、
前記通信デバイスが、前記第１無線フレームを受信する前に、基地局により送信された、前記基地局が前記通信デバイスに前記第１無線フレームを送信するように指示するための指示情報を受信することを含む
ことを特徴とする１７〜２３、２６のいずれか１項に記載の通信方法。
【請求項２８】
通信方法であって、
通信デバイスは、第１無線フレームを受信することと、
前記通信デバイスは、前記第１無線フレームに基づいて処理を行うこととを含み、
前記第１無線フレーム内の最初のＭ個のシンボルに搬送されるシーケンスは、前記通信デバイスに知られるシーケンスであり、前記最初のＭ個のシンボル内のシンボルの時間領域の長さは、その他のシンボル内のシンボルの時間領域の長さに等しく、Ｍが正の整数である
ことを特徴とする請求項１に記載の通信方法。
【請求項２９】
前記最初のＭ個のＯＦＤＭシンボルの総時間領域の長さは、１／（１５キロヘルツ）である
ことを特徴とする請求項２８に記載の通信方法。
【請求項３０】
前記その他のシンボル内のシンボルの時間領域の長さは、１／（１５キロヘルツ）／２ｋであり、ｋが正の整数である
ことを特徴とする請求項２８又は２９に記載の通信方法。
【請求項３１】
前記通信デバイスは、基地局であり、
前記通信方法は、さらに、
前記通信デバイスが、前記第１無線フレームを受信する前に、端末デバイスが前記通信デバイスに前記第１無線フレームを送信するように指示するための指示情報を前記端末デバイスに送信することを含む
ことを特徴とする請求項２８〜３０のいずれか１項に記載の通信方法。
【請求項３２】
前記通信デバイスは、端末デバイスであり、
前記通信方法は、さらに、
前記通信デバイスが、前記第１無線フレームを受信する前に、基地局により送信された、前記基地局が前記通信デバイスに前記第１無線フレームを送信するように指示するための指示情報を受信することを含む
ことを特徴とする請求項２８〜３０のいずれか１項に記載の通信方法。
【請求項３３】
通信デバイスであって、
第１無線フレームを生成するように構成される生成モジュールと、
前記第１無線フレームを送信するように構成される送信モジュールと、を含み、
前記第１無線フレーム内の１番目のシンボルの時間領域の長さは、前記第１無線フレーム内のその他のシンボルの時間領域の長さより大きい
ことを特徴とする通信デバイス。
【請求項３４】
前記１番目のシンボルに搬送されるシーケンスは、前記通信デバイスに知られるシーケンスである
ことを特徴とする請求項３３に記載の通信デバイス。
【請求項３５】
前記送信モジュールは、さらに、少なくとも１つの第２無線フレームを送信するように構成され、
前記第２無線フレーム内の全てのシンボルの時間領域の長さは等しい
ことを特徴とする請求項３３又は３４に記載の通信デバイス。
【請求項３６】
前記１番目のシンボルの時間領域の長さは、１／（１５キロヘルツ）であり、
前記その他のシンボル内のシンボルの時間領域の長さは、１／（１５キロヘルツ）／２ｋであり、ｋが正の整数である
ことを特徴とする請求項３３〜３５のいずれか１項に記載の通信デバイス。
【請求項３７】
前記生成モジュールは、さらに第３無線フレームを生成するように構成され、
前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数である
前記送信モジュールは、さらに前記第３無線フレームを送信するように構成される
ことを特徴とする請求項３３〜３６のいずれか１項に記載の通信デバイス。
【請求項３８】
前記最初のＭ個のＯＦＤＭシンボルの総時間領域の長さは、１／（１５キロヘルツ）である
ことを特徴とする請求項３７に記載の通信デバイス。
【請求項３９】
前記第３無線フレーム内の各シンボルの時間領域の長さは、１／（１５キロヘルツ）／２ｋである
ことを特徴とする請求項３７又は３８に記載の通信デバイス。
【請求項４０】
前記通信デバイスは、基地局であり、
前記送信モジュールは、さらに、前記第３無線フレームを送信する前に、前記通信デバイスが前記第３無線フレームを送信するように指示するための指示情報を送信するように構成される
ことを特徴とする請求項３７〜３９のいずれか１項に記載の通信デバイス。
【請求項４１】
前記通信デバイスは、基地局であり、
前記送信モジュールは、さらに、前記第１無線フレームを送信する前に、前記通信デバイスが前記第１無線フレームを送信するように指示するための指示情報を送信するように構成される
ことを特徴とする請求項３３〜４０のいずれか１項に記載の通信デバイス。
【請求項４２】
前記通信デバイスは、端末デバイスであり、
前記送信モジュールは、さらに、前記第３無線フレームを送信する前に、基地局により送信された、前記通信デバイスが前記基地局に前記第３無線フレームを送信する必要があるように指示するための指示情報を受信するに用構成される
ことを特徴とする請求項３７〜３９のいずれか１項に記載の通信デバイス。
【請求項４３】
前記通信デバイスは、端末デバイスであり、
前記送信モジュールは、さらに、前記第１無線フレームを送信する前に、基地局により送信された、前記通信デバイスが前記基地局に前記第１無線フレームを送信する必要があるように指示するための指示情報を受信するように構成される
ことを特徴とする請求項３３〜３９、４２のいずれか１項に記載の通信デバイス。
【請求項４４】
通信デバイスであって、
第１無線フレームを生成するように構成される生成モジュールと、
前記第１無線フレームを送信するように構成される送信モジュールと、を含み、
前記第１無線フレーム内の全てのシンボルの時間領域の長さは等しく、前記第１無線フレームの最初のＭ個のシンボルに搬送されるシーケンスが前記通信デバイスに知られるシーケンスであり、Ｍが正の整数である
ことを特徴とする通信デバイス。
【請求項４５】
前記最初のＭ個のＯＦＤＭシンボルの総時間領域の長さは、１／（１５キロヘルツ）である
ことを特徴とする請求項４４に記載の通信デバイス。
【請求項４６】
前記第１無線フレーム内の各シンボルの時間領域の長さが１／（１５キロヘルツ）／２ｋであり、ｋが正の整数である
ことを特徴とする請求項４４又は４５に記載の通信デバイス。
【請求項４７】
前記通信デバイスは、基地局であり、
前記送信モジュールは、さらに、前記第１無線フレームを送信する前に、前記通信デバイスが前記第１無線フレームを送信するように指示するための指示情報を送信するように構成される
ことを特徴とする請求項４４〜４６のいずれか１項に記載の通信デバイス。
【請求項４８】
前記通信デバイスは、端末デバイスであり、
前記送信モジュールは、さらに、前記第１無線フレームを送信する前に、基地局により送信された、前記通信デバイスが前記基地局に前記第１無線フレームを送信する必要があるように指示するための指示情報を受信するように構成される
ことを特徴とする請求項４４〜４６のいずれか１項に記載の通信デバイス。
【請求項４９】
通信デバイスであって、
第１無線フレームを受信するように構成される受信モジュールと、
前記第１無線フレームに基づいて処理を行うように構成される処理モジュールと、を含み、
前記第１無線フレーム内の１番目のシンボルの時間領域の長さは、前記第１無線フレーム内のその他のシンボルの時間領域の長さより大きい
ことを特徴とする通信デバイス。
【請求項５０】
前記１番目のシンボルに搬送されるシーケンスは、前記通信デバイスに知られるシーケンスである
ことを特徴とする請求項４９に記載の通信デバイス。
【請求項５１】
前記受信モジュールは、さらに、少なくとも１つの第２無線フレームを受信するように構成され、
前記第２無線フレーム内の全てのシンボルの時間領域の長さは等しい
ことを特徴とする請求項４９又は５０に記載の通信デバイス。
【請求項５２】
前記１番目のシンボルの時間領域の長さは、１／（１５キロヘルツ）であり、前記その他のシンボル内のシンボルの時間領域の長さは１／（１５キロヘルツ）／２ｋであり、ｋが正の整数である
ことを特徴とする請求項４９〜５１のいずれか１項に記載の通信デバイス。
【請求項５３】
前記受信モジュールは、さらに、第３無線フレームを受信するように構成され、
前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数である
ことを特徴とする請求項４９〜５２のいずれか１項に記載の通信デバイス。
【請求項５４】
前記最初のＭ個のＯＦＤＭシンボルの総時間領域の長さは、１／（１５キロヘルツ）である
ことを特徴とする請求項５３に記載の通信デバイス。
【請求項５５】
前記第３無線フレーム内の各シンボルの時間領域の長さは、１／（１５キロヘルツ）／２ｋである
ことを特徴とする請求項５３又は５４に記載の通信デバイス。
【請求項５６】
前記通信デバイスは、基地局であり、
前記通信デバイスは、さらに第１送信モジュールを含み、
前記第１送信モジュールは、前記受信モジュールが前記第３無線フレームを受信する前に、端末デバイスが前記通信デバイスに第３無線フレームを送信するように指示するための指示情報を前記端末デバイスに送信するように構成される
ことを特徴とする請求項５３〜５５のいずれか１項に記載の通信デバイス。
【請求項５７】
前記通信デバイスは、基地局であり、
前記通信デバイスは、さらに第２送信モジュールを含み、
前記第２送信モジュールは、前記受信モジュールが前記第１無線フレームを受信する前に、端末デバイスが前記通信デバイスに前記第１無線フレームを送信するように指示するための指示情報を前記端末デバイスに送信するように構成される
ことを特徴とする請求項４９〜５６のいずれか１項に記載の通信デバイス。
【請求項５８】
前記通信デバイスは、端末デバイスであり、
前記受信モジュールは、さらに、前記第３無線フレームを受信する前に、基地局により送信された、前記基地局が前記通信デバイスに第３無線フレームを送信するように指示するための指示情報を受信するように構成される
ことを特徴とする請求項５３〜５５のいずれか１項に記載の通信デバイス。
【請求項５９】
前記通信デバイスは、端末デバイスであり、
前記受信モジュールは、さらに、前記第１無線フレームを受信する前に、基地局により送信された、前記基地局が前記通信デバイスに前記第１無線フレームを送信するように指示するための指示情報を受信するように構成される
ことを特徴とする請求項４９〜５５、５８のいずれか１項に記載の通信デバイス。
【請求項６０】
通信デバイスであって、
第１無線フレームを受信するように構成される受信モジュールと、
前記第１無線フレームに基づいて処理を行うように構成される処理モジュールと、を含み、
前記第１無線フレーム内の最初のＭ個のシンボルに搬送されるシーケンスは、前記通信デバイスに知られるシーケンスであり、前記最初のＭ個のシンボル内のシンボルの時間領域の長さは、その他のシンボル内のシンボルの時間領域の長さに等しく、Ｍが正の整数である
ことを特徴とする通信デバイス。
【請求項６１】
前記最初のＭ個のＯＦＤＭシンボルの総時間領域の長さは、１／（１５キロヘルツ）である
ことを特徴とする請求項６０に記載の通信デバイス。
【請求項６２】
他のシンボル内のシンボルの時間領域の長さは１／（１５キロヘルツ）／２ｋであり、ｋが正の整数である
ことを特徴とする請求項６０又は６１に記載の通信デバイス。
【請求項６３】
前記通信デバイスは、基地局であり、
前記通信デバイスは、さらに送信モジュールを含み、
前記送信モジュールは、前記受信モジュールが前記第１無線フレームを受信する前に、端末デバイスが前記通信デバイスに前記第１無線フレームを送信するように指示するための指示情報を前記端末デバイスに送信するように構成される
ことを特徴とする請求項６０〜６２のいずれか１項に記載の通信デバイス。
【請求項６４】
前記通信デバイスは、端末デバイスであり、
前記受信モジュールは、さらに、前記第１無線フレームを受信する前に、基地局により送信された、前記基地局が前記通信デバイスに前記第１無線フレームを送信するように指示するための指示情報を受信するように構成される
ことを特徴とする請求項６０〜６２のいずれか１項に記載の通信デバイス。
【発明の詳細な説明】
【技術分野】
【０００１】
本発明は、無線通信分野に関し、特に、無線通信分野における通信方法及び通信デバイスに関する。
【背景技術】
【０００２】
無線通信システムにおけるヌメロロジー（ｎｕｍｅｒｏｌｏｇｙ）が無線通信システムの最も基本的なパラメータセットと理解されてもよい。長期的な進化（ＬＴＥ：Ｌｏｎｇ  Ｔｅｒｍ  Ｅｖｏｌｕｔｉｏｎ）システムについて、現在のヌメロロジーには、サブキャリア（ｓｕｂｃａｒｒｉｅｒ）の幅が１５キロヘルツ（ｋＨｚ）、シンボル（ｓｙｍｂｏｌ）の時間領域の長さが１／（１５ｋＨｚ）、約６６．６７マイクロ秒（ｕｓ）であることが含まれる。
【０００３】
無線通信システムの発展に伴い、無線通信システムは、他のｎｕｍｅｒｏｌｏｇｙ、例えば他のサブキャリアの幅やシンボルの時間領域の長さのｎｕｍｅｒｏｌｏｇｙをサポートしていることが可能である。例えば、ｎｕｍｅｒｏｌｏｇｙにおいて、サブキャリアの幅が１５＊２ｋキロヘルツ、シンボル時間領域の長さが１／（１５ｋＨｚ）／２ｋであり、ここで、ｋが正の整数である。
【０００４】
無線通信システムは、サポートしているｎｕｍｅｒｏｌｏｇｙに対応する通信方法及び通信デバイスにより、無線通信を実現する必要がある。
【発明の概要】
【発明が解決しようとする課題】
【０００５】
本発明は、無線通信システムにおいてそれがサポートしているｎｕｍｅｒｏｌｏｇｙに対応する通信を実現する可能な通信方法、通信デバイス及び装置を提供する。
【課題を解決するための手段】
【０００６】
第１形態として、本発明は通信方法を提供し、通信デバイスは第１無線フレームを生成することと、前記通信デバイスは前記第１無線フレームを送信することとを含み、前記第１無線フレーム内の１番目のシンボルの時間領域の長さは、前記第１無線フレーム内のその他のシンボルの時間領域の長さより大きい。
【０００７】
本発明の実施例において、通信デバイスは、それがサポートしているｎｕｍｅｒｏｌｏｇｙに対応する、第１シンボルの時間領域の長さがその他のシンボルの時間領域の長さより長いフレームを送信することで、他の通信デバイスとの通信を行うことができる。
【０００８】
１つの実現可能な実施の形態において、前記１番目のシンボルに搬送されるシーケンスは、前記通信デバイスに知られるシーケンスである。
【０００９】
本発明の実施例において、第１無線フレームを受信した通信デバイスは、１番目のシンボルに対応する信号を基準信号として処理を行うことができる。
【００１０】
１つの実現可能な実施の形態において、前記通信方法は、さらに、前記通信デバイスが少なくとも１つの第２無線フレームを送信することを含み、前記第２無線フレーム内の全てのシンボルの時間領域の長さは等しい。
【００１１】
１つの実現可能な実施の形態において、前記１番目のシンボルの時間領域の長さは、１／（１５キロヘルツ）であり、前記その他のシンボル内のシンボルの時間領域の長さが１／（１５ｋＨｚ）／２ｋであり、ｋが正の整数である。
【００１２】
１つの実現可能な実施の形態において、前記通信方法は、さらに、通信デバイスが、第３無線フレームを生成することと、前記通信デバイスが、第３無線フレームを送信することとを含み、前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数である。
【００１３】
本発明の実施例において、通信デバイスは、異なるｎｕｍｅｒｏｌｏｇｙをサポートする場合、異なる構成の無線フレームを利用し通信を行うことができる。
【００１４】
１つの実現可能な実施の形態において、前記最初のＭ個のＯＦＤＭシンボルの総時間領域の長さは、１／（１５キロヘルツ）である。
【００１５】
１つの実現可能な実施の形態において、前記第３無線フレーム内の各シンボルの時間領域の長さは、１／（１５キロヘルツ）／２ｋである。
【００１６】
１つの実現可能な実施の形態において、前記通信デバイスは、基地局であり、ここで、前記通信方法は、さらに、前記通信デバイスが、前記第１無線フレームを受信する前に、端末デバイスが前記通信デバイスに前記第１無線フレームを送信するように指示するための指示情報を前記端末デバイスに送信することを含む。
【００１７】
１つの実現可能な実施の形態において、前記通信デバイスは、端末デバイスであり、ここで、前記通信方法は、さらに、前記通信デバイスが、前記第１無線フレームを受信する前に、基地局により送信された、前記基地局が前記通信デバイスに前記第１無線フレームを送信するように指示するための指示情報を受信することを含む。
【００１８】
第２形態として、本発明は通信方法を提供し、前記通信方法は、通信デバイスが、第１無線フレームを生成することと、前記通信デバイスが、前記第１無線フレームを送信することとを含み、前記第１無線フレーム内の全てのシンボルの時間領域の長さは等しく、前記第１無線フレームの最初のＭ個のシンボルに搬送されるシーケンスは、前記通信デバイスに知られるシーケンスであり、Ｍが正の整数である。
【００１９】
本発明の実施例において、通信デバイスは、それがサポートしているｎｕｍｅｒｏｌｏｇｙに対応する、最初のＭ個のシンボルには知られるシーケンスが搬送される無線フレームを送信することで、他の通信デバイスとの通信を行うことができる。
【００２０】
１つの実現可能な実施の形態において、前記最初のＭ個のＯＦＤＭシンボルの総時間領域の長さは、１／（１５ｋＨｚ）である。
【００２１】
１つの実現可能な実施の形態において、前記第１無線フレーム内の各シンボルの時間領域の長さは、１／（１５ｋＨｚ）／２ｋであり、ｋが正の整数である。
【００２２】
１つの実現可能な実施の形態において、前記通信デバイスは、基地局であり、ここで、前記通信方法は、さらに、前記通信デバイスが、前記第１無線フレームを送信する前に、前記通信デバイスが前記第１無線フレームを送信するように指示するための指示情報を送信することを含む。
【００２３】
１つの実現可能な実施の形態において、前記通信デバイスは、端末デバイスであり、ここで、前記通信方法は、さらに、前記通信デバイスが、前記第１無線フレームを送信する前に、基地局により送信された、前記通信デバイスが前記基地局に前記第１無線フレームを送信する必要があるように指示するための指示情報を受信することを含む。
【００２４】
第３形態、本発明は通信方法を提供し、通信デバイスは、第１無線フレームを受信することと、前記通信デバイスは、前記第１無線フレームに基づいて処理を行うこととを含み、前記第１無線フレーム内の１番目のシンボルの時間領域の長さは、前記第１無線フレーム内のその他のシンボルの時間領域の長さより大きい。
【００２５】
本発明の実施例において、通信デバイスは、それがサポートしているｎｕｍｅｒｏｌｏｇｙに対応する、第１シンボルの時間領域の長さがその他のシンボルの時間領域の長さより長いフレームを受信することで、他の通信デバイスとの通信を行うことができる。
【００２６】
１つの実現可能な実施の形態において、前記１番目のシンボルに搬送されるシーケンスは、前記通信デバイスに知られるシーケンスである。
【００２７】
１つの実現可能な実施の形態において、前記通信方法は、さらに、前記通信デバイスが、少なくとも１つの第２無線フレームを受信することを含み、前記第２無線フレーム内の全てのシンボルの時間領域の長さは等しい。
【００２８】
１つの実現可能な実施の形態において、前記１番目のシンボルの時間領域の長さは１／（１５キロヘルツ）であり、前記その他のシンボル内のシンボルの時間領域の長さは１／（１５ｋＨｚ）／２ｋであり、ｋが正の整数である。
【００２９】
１つの実現可能な実施の形態において、前記通信方法は、さらに、通信デバイスが、第３無線フレームを受信することを含み、前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数である。
【００３０】
本発明の実施例において、通信デバイスは、異なるｎｕｍｅｒｏｌｏｇｙをサポートする場合、異なる構成の無線フレームを利用し通信を行うことができる。
【００３１】
１つの実現可能な実施の形態において、前記最初のＭ個のＯＦＤＭシンボルの総時間領域の長さは、１／（１５キロヘルツ）である。
【００３２】
１つの実現可能な実施の形態において、前記第３無線フレーム内の各シンボルの時間領域の長さは、１／（１５キロヘルツ）／２ｋである。
【００３３】
１つの実現可能な実施の形態において、前記通信デバイスは、基地局であり、ここで、前記通信方法は、さらに、前記通信デバイスが、前記第３無線フレームを受信する前に、端末デバイスが前記通信デバイスに第３無線フレームを送信するように指示するための指示情報を前記端末デバイスに送信することを含む。
【００３４】
１つの実現可能な実施の形態において、前記通信デバイスは、基地局であり、ここで、前記通信方法は、さらに、前記通信デバイスが、前記第１無線フレームを受信する前に、端末デバイスが前記通信デバイスに前記第１無線フレームを送信するように指示するための指示情報を前記端末デバイスに送信することを含む。
【００３５】
１つの実現可能な実施の形態において、前記通信デバイスは、端末デバイスであり、ここで、前記通信方法は、さらに、前記通信デバイスが、前記第３無線フレームを受信する前に、基地局により送信された、前記基地局が前記通信デバイスに第３無線フレームを送信するように指示するための指示情報を受信することを含む。
【００３６】
１つの実現可能な実施の形態において、前記通信デバイスは、端末デバイスであり、ここで、前記通信方法は、さらに、前記通信デバイスが、前記第１無線フレームを受信する前に、基地局により送信された、前記基地局が前記通信デバイスに前記第１無線フレームを送信するように指示するための指示情報を受信することを含む。
【００３７】
第４形態として、本発明は通信方法を提供し、通信デバイスは、第１無線フレームを受信することと、前記通信デバイスは、前記第１無線フレームに基づいて処理を行うこととを含み、前記第１無線フレーム内の最初のＭ個のシンボルに搬送されるシーケンスは、前記通信デバイスに知られるシーケンスであり、前記最初のＭ個のシンボル内のシンボルの時間領域の長さは、その他のシンボル内のシンボルの時間領域の長さに等しく、Ｍが正の整数である。
【００３８】
本発明の実施例において、通信デバイスは、それがサポートしておるｎｕｍｅｒｏｌｏｇｙに対応する、最初のＭ個のシンボルに知られるシーケンスが搬送される無線フレームを受信することで、他の通信デバイスとの通信を行うことができる。
【００３９】
１つの実現可能な実施の形態において、前記最初のＭ個のＯＦＤＭシンボルの総時間領域の長さは、１／（１５ｋＨｚ）である。
【００４０】
１つの実現可能な実施の形態において、前記その他のシンボル内のシンボルの時間領域の長さは、１／（１５ｋＨｚ）／２ｋであり、ｋが正の整数である。
【００４１】
１つの実現可能な実施の形態において、前記通信デバイスは、基地局であり、ここで、前記通信方法は、さらに、前記通信デバイスが、前記第１無線フレームを受信する前に、端末デバイスが前記通信デバイスに前記第１無線フレームを送信するように指示するための指示情報を前記端末デバイスに送信することを含む。
【００４２】
１つの実現可能な実施の形態において、前記通信デバイスは、端末デバイスであり、ここで、前記通信方法は、さらに、前記通信デバイスが、前記第１無線フレームを受信する前に、基地局により送信された、前記基地局が前記通信デバイスに前記第１無線フレームを送信するように指示するための指示情報を受信することを含む。
【００４３】
第５形態として、本発明は通信デバイスを提供し、前記通信デバイスは、第１形態の通信方法を実行するように構成されるモジュールを含む。
【００４４】
第６形態として、本発明は通信デバイスを提供し、前記通信デバイスは、第２形態の通信方法を実行するように構成されるモジュールを含む。
【００４５】
第７形態として、本発明は通信デバイスを提供し、前記通信デバイスは、第３形態の通信方法を実行するように構成されるモジュールを含む。
【００４６】
第８形態として、本発明は通信デバイスを提供し、前記通信デバイスは、第４形態の通信方法を実行するように構成されるモジュールを含む。
【００４７】
第９形態として、本発明は通信デバイスを提供し、前記通信デバイスは、メモリ、プロセッサー、受信機及び送信機を含み、前記メモリはコードを記憶するように構成され、前記プロセッサーは前記メモリ内のコードを実行するように構成され、前記受信機と送信機とは、他のデバイスと通信するように構成される。前記コードが実行される場合、前記プロセッサーは、前記送信機により第１形態の方法を実現する。
【００４８】
第１０形態として、本発明は通信デバイスを提供し、前記通信デバイスは、メモリ、プロセッサー、受信機及び送信機を含み、前記メモリはコードを記憶するように構成され、前記プロセッサーは前記メモリ内のコードを実行するように構成され、前記受信機と送信機とは、他のデバイスと通信するように構成される。前記コードが実行される場合、前記プロセッサーは、前記送信機により第２形態の方法を実現する。
【００４９】
第１１形態として、本発明は通信デバイスを提供し、前記通信デバイスは、メモリ、プロセッサー、受信機及び送信機を含み、前記メモリはコードを記憶するように構成され、前記プロセッサーは前記メモリ内のコードを実行するように構成され、前記受信機と送信機とは、他のデバイスと通信するように構成される。前記コードが実行される場合、前記プロセッサーは、前記受信機により第３形態の方法を実現する。
【００５０】
第１２形態として、本発明は通信デバイスを提供し、前記通信デバイスは、メモリ、プロセッサー、受信機及び送信機を含み、前記メモリはコードを記憶するように構成され、前記プロセッサーは前記メモリ内のコードを実行するように構成され、前記受信機と送信機とは、他のデバイスと通信するように構成される。前記コードが実行される場合、前記プロセッサーは、前記受信機により第４形態の方法を実現する。
【００５１】
第１３形態として、本発明はコンピュータ可読媒体を提供し、前記コンピュータ可読媒体には通信デバイスで実行するプログラムコードが含まれ、前記プログラムコードは、第１形態の方法を実行するための命令を含む。
【００５２】
第１４形態として、本発明はコンピュータ可読媒体を提供し、前記コンピュータ可読媒体には通信デバイスで実行するプログラムコードが含まれ、前記プログラムコードは、第２形態の方法を実行するための命令を含む。
【００５３】
第１５形態として、本発明はコンピュータ可読媒体を提供し、前記コンピュータ可読媒体には通信デバイスで実行するプログラムコードが含まれ、前記プログラムコードは、第３形態の方法を実行するための命令を含む。
【００５４】
第１６形態として、本発明はコンピュータ可読媒体を提供し、前記コンピュータ可読媒体には通信デバイスで実行するプログラムコードが含まれ、前記プログラムコードは、第４形態の方法を実行するための命令を含む。
【図面の簡単な説明】
【００５５】
本発明の実施例の技術案をより明確に説明するために、以下、本発明の実施例に使用する図面を簡単に説明し、以下の記載における図面は本発明の一部の実施例に過ぎず、当業者が、創造的な労働を付与しない前提で、これらの図面によって他の図面を得ることができることは明らかである。
【図１】本発明の実施例における通信方法の通信システムの構成図である。
【図２】本発明の実施例における通信方法のフローチャートである。
【図３】本発明の実施例における通信方法の無線フレームの構成図である。
【図４】本発明の実施例における通信方法のフローチャートである。
【図５】本発明の実施例における通信方法の無線フレームの構成図である。
【図６】本発明の実施例における通信デバイスの構成図である。
【図７】本発明の実施例における通信デバイスの構成図である。
【図８】本発明の実施例における通信デバイスの構成図である。
【図９】本発明の実施例における通信デバイスの構成図である。
【図１０】本発明の実施例における通信デバイスの構成図である。
【図１１】本発明の実施例における通信デバイスの構成図である。
【図１２】本発明の実施例における通信デバイスの構成図である。
【図１３】本発明の実施例における通信デバイスの構成図である。
【発明を実施するための形態】
【００５６】
本発明の目的、技術案及び利点をより良く理解させるために、以下、本発明の実施例の図面を参考しながら、本発明の実施例の技術案をより明確且つ完全に説明し、説明される実施例は、単に本発明の一部の実施例に過ぎず、すべての実施例ではない。本発明の実施例に基づいて、当業者が創造的な労働を付与しない前提で得られた他の実施例の全ては、本発明の保護範囲に属する。
【００５７】
理解を容易にするために、まず、本発明の実施例における通信方法を実現する可能な無線通信システムの全体の構成の模式図を説明する。なお、本発明の実施例は図１に示すシステム構成に限定されなく、また、図１に示す装置がハードウェア、機能によって分けるソフトウェア、又は両方の組合せであってもよい。
【００５８】
図１に示す無線通信システムは、基地局とユーザデバイス（ＵＥ：Ｕｓｅｒ  Ｅｑｕｉｐｍｅｎｔ）を含む。基地局とＵＥとの間が通信する可能であり、ＵＥの間が基地局により通信を行うことができる。なお、図１の基地局とＵＥの数は、本発明を限定しない。
【００５９】
本発明の実施例において、基地局は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）又はシンボル分割多元接続（ＣＤＭＡ：Ｃｏｄｅ  Ｄｉｖｉｓｉｏｎ  Ｍｕｌｔｉｐｌｅ  Ａｃｃｅｓｓ）システムにおける基地局（ＢＴＳ：Ｂａｓｅ  Ｔｒａｎｓｃｅｉｖｅｒ  Ｓｔａｔｉｏｎ）であっても良く、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システムにおける基地局（ＮｏｄｅＢ）であっても良く、さらにＬＴＥシステムにおける進化型基地局（ｅＮＢ又はｅＮｏｄｅＢ：Ｅｖｏｌｕｔｉｏｎａｌ  Ｎｏｄｅ  Ｂ）、又は将来の５Ｇネットワークにおける基地局デバイス、小型基地局デバイスなどであっても良いが、本発明はこれらに限定しない。
【００６０】
本発明の実施例において、ＵＥは、アクセス端末、端末デバイス、ユーザユニット、ユーザサイト、移動サイト、遠隔サイト、遠隔端末、移動デバイス、ユーザ端末、端末、無線通信デバイス、ユーザエージェント又はユーザ装置等とも称される。ＵＥは、セルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａｌ  Ｄｉｇｉｔａｌ  Ａｓｓｉｓｔａｎｔ）、無線通信機能を備えるハンドヘルドデバイス、コンピューティングデバイス又は無線モデムに接続された他の処理デバイス、車載デバイス、ウェアラブルデバイス、将来の５Ｇネットワークにおける端末デバイスなどであってもよい。
【００６１】
図２は本発明の実施例における通信方法のフローチャートである。なお、図２は通信方法のステップ又は操作を示すが、これらのステップ又は操作は例示的なものであり、本発明の実施例は、他の操作又は図２に示す各操作の変形を実行してもよい。
【００６２】
Ｓ２１０において、通信デバイスは無線フレームを生成し、無線フレームの１番目のシンボルの時間領域の長さは無線フレーム内のその他のシンボルの時間領域の長さより大きい。無線フレームの１番目のシンボルは、無線フレームの開始シンボル、即ち無線フレームの時間領域における１番目のシンボルである。
【００６３】
通信デバイスは、図１に示す基地局であってもよいし、図１に示すＵＥであってもよい。通信デバイスが基地局である場合、無線フレームが下りフレームであり、通信デバイスが端末デバイスである場合、無線フレームが上りフレームである。無線フレーム内のシンボルは、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであってもよい。当該無線フレームを単にフレームともいう。
【００６４】
Ｓ２２０において、通信デバイスは無線フレームを送信する。即ち、通信デバイスは、第１シンボルの時間領域の長さがその他のシンボルの時間領域の長さより大きい無線フレームを送信する。
【００６５】
本発明の実施例において、通信デバイスは、第１シンボルの時間領域の長さがその他のシンボルの時間領域の長さより長いフレームを送信することで、他の通信デバイスとの通信を行うことができる。
【００６６】
図２は送信側となる通信デバイスの通信方法を示す。対応する受信側において、通信デバイスは無線フレームを受信し、当該無線フレーム内の１番目のシンボルの時間領域の長さが第１無線フレーム内のその他のシンボルの時間領域の長さより大きい。この後、当該通信デバイスは、当該無線フレームに基づいて処理を行うことができる。
【００６７】
本発明の実施例において、受信側となる通信デバイスは、第１シンボルの時間領域の長さがその他のシンボルの時間領域の長さより長いフレームを受信することで、他の通信デバイスとの通信を行うことができる。
【００６８】
受信側となる通信デバイスは、図１に示す基地局であってもよいし、図１に示す端末デバイスであってもよい。無線フレーム内のシンボルは、ＯＦＤＭシンボルであってもよい。通信デバイスが当該無線フレームに基づいて処理を行うことは、例えば当該無線フレーム内の１番目のシンボルに基づいて自動利得制御（ＡＧＣ：Ａｕｔｏｍａｔｉｃ  Ｇａｉｎ  Ｃｏｎｔｒｏｌ）行うことを含み、即ち、通信デバイスは、無線フレームを受信する場合、１番目のシンボルの時間領域の長さにおいて、受信された１番目のシンボル内の信号に基づいて、通信デバイス内の受信増幅回路に対してＡＧＣを行うことができる。
【００６９】
当然ながら、送信側となる通信デバイスは、無線フレームを送信する時に、第１シンボルの時間領域の長さにおいて、送信された１番目のシンボル内の信号基づいて通信デバイス内の送信増幅回路に対してＡＧＣを行うことができる。
【００７０】
通信デバイスが自動利得制御を行って対応する送信増幅回路及び受信増幅回路の利得が安定しているまでにかかる時間は、ＡＧＣ確立時間（ｓｅｔｔｌｉｎｇ  ｔｉｍｅ）という。
【００７１】
本発明の実施例において、通信デバイスは、１番目のシンボルの送信に対応する信号又は１番目のシンボルの受信に対応する信号の時間内にＡＧＣ調整を行うことができるように、送信または受信する無線フレームの１番目のシンボルの時間領域の長さが通信デバイスのＡＧＣ確立時間の以上であってもよい。
【００７２】
具体的に、通信デバイスは、無線フレームを送信する場合、１番目のシンボルの時間領域の長さがその他のシンボルの時間領域の長さより長い無線フレームを送信し、且つ、１番目のシンボルの時間領域の長さが通信デバイスのＡＧＣ確立時間の以上であってもよい。通信デバイスは、無線フレームを受信する場合、１番目のシンボルの時間領域の長さがその他のシンボルの時間領域の長さより長い無線フレームを受信し、且つ、１番目のシンボルの時間領域の長さが通信デバイスのＡＧＣ確立時間の以上であってもよい。
【００７３】
以下、現在のＡＧＣ確立時間（約２０ｕｓ〜６６．６７ｕｓである）を例とし、図３に示すフレーム構成を参照し、本発明の実施例における無線フレームを説明する。図３に示すように、通信デバイスの送信又は受信する無線フレームの間隔が１２０キロヘルツであり、無線フレーム内の１番目のシンボル以外のシンボルの時間領域の長さが１／（１５ｋＨｚ）／８であり、１番目のシンボルの時間領域の長さが１／（１５ｋＨｚ）、約６６．６７ｕｓである。
【００７４】
通信デバイスは、図３に示すフレームを送信する場合、１番目のシンボルの時間領域の長さ６６．６７ｕｓが通信デバイスのＡＧＣ確立時間の下限時間２０ｕｓより大きいため、１番目のシンボルの送信に対応する信号の時間内において、即ち送信する信号に基づいて、送信増幅回路のＡＧＣ調整を行うことができる。通信デバイスは、図３に示すフレームを受信する場合、１番目のシンボルの時間領域の長さ６６．６７ｕｓが通信デバイスのＡＧＣ確立時間の下限時間２０ｕｓより大きいため、１番目のシンボルの受信に対応する信号の時間内において、即ち受信する信号に基づいて、受信増幅回路のＡＧＣ調整を行うことができる。
【００７５】
通常、無線フレームのキャリア間隔が１５＊２ｋキロヘルツである場合、無線フレーム内の１番目のシンボル以外のシンボルの時間領域の長さが１／（１５ｋＨｚ）／２ｋであってもよい。この場合、１番目のシンボルの時間領域の長さは、１つの選択可能な値として１／（１５ｋＨｚ）になる。
【００７６】
本発明の実施例において、無線フレームの１番目のシンボルは、指定されたシーケンスを使用してもよく、即ち、１番目のシンボルに搬送されるシーケンスが通信デバイスに知られるシーケンスである。具体的に、無線フレームの１番目のシンボルに搬送されるシーケンスは、当該無線フレームを送信する通信デバイスと当該無線フレームを受信する通信デバイスとが予め知られる又は約束されたシーケンスであり、即ち、１番目のシンボルに搬送される情報は、通信両側での通信デバイスに知られるものである。当該シーケンスは、基地局により通信デバイスに構成されたものであってもよいし、通信デバイスに予め設定されたものであってもよい。
【００７７】
無線フレームの１番目のシンボルに搬送されるシーケンスが知られるものである場合、受信側となる通信デバイス（図１に示す端末デバイス）は、さらに、１番目のシンボルに対応する信号を利用しチャネル推定を行うことができる。
【００７８】
図４は本発明の他の実施例における通信方法のフローチャートである。なお、図４は通信方法のステップ又は操作を示すが、これらのステップ又は操作が例示的なものであり、本発明の実施例は、他の操作又は図４内の各操作の変形を実行してもよい。
【００７９】
Ｓ４１０において、通信デバイスは無線フレームを生成し、無線フレーム内の全てのシンボルの時間領域の長さが等しく、無線フレームの最初のＭ個のシンボルに搬送されるシーケンスは、通信デバイスに知られるシーケンスであり、Ｍが正の整数である。
【００８０】
つまり、無線フレーム内の最初のＭ個のシンボルにおいて、知られるシーケンスが搬送され、且つ、これらのＭ個のシンボルについて、シンボルの時間領域の長さがその他のシンボルの時間領域の長さに等しく、いずれも１／（１５ｋＨｚ）／２ｋである。
【００８１】
通信デバイスは、図１に示す基地局であってもよいし、図１に示すＵＥであってもよい。通信デバイスが基地局である場合、無線フレームが下りフレームであり、通信デバイスが端末デバイスである場合、無線フレームが上りフレームである。無線フレーム内のシンボルは、ＯＦＤＭシンボルであってもよい。当該無線フレームを単にフレームともいう。無線フレームの最初のＭ個のシンボルは、無線フレームの開始位置のシンボルを開始して連続したＭ個のシンボルである。
【００８２】
Ｓ４２０において、通信デバイス無線フレームを送信する。
【００８３】
本発明の実施例において、通信デバイスは、最初のＭ個のシンボルには知られるシーケンスが搬送されている無線フレームを搬送することで、他の通信デバイスとの通信を行うことができる。
【００８４】
選択可能で、無線フレーム内の各シンボルの時間領域の長さは、１／（１５ｋＨｚ）／２ｋであり、ｋが正の整数である。
【００８５】
図４は送信側となる通信デバイスの通信方法を示す。対応する受信側において、通信デバイスが無線フレームを受信し、無線フレーム内の全てのシンボルの時間領域の長さが等しく、当該無線フレームの最初のＭ個のシンボルに搬送されるシーケンスは、通信デバイスに知られるシーケンスである。そして、当該通信デバイスは、当該無線フレームに基づいて処理を行う。
【００８６】
本発明の実施例において、受信側となる通信デバイスは、最初のＭ個のシンボルには知られるシーケンスが搬送される無線フレームを受信することで、他の通信デバイスとの通信を行う。
【００８７】
受信側となる通信デバイスは、図１に示す基地局であってもよいし、図１に示す端末デバイスであってもよい。無線フレーム内のシンボルは、ＯＦＤＭシンボルであってもよい。通信デバイスが当該無線フレームに基づいて処理を行うことは、例えば当該無線フレーム内の最初のＭ個のシンボルに基づいてＡＧＣを行うことを含み、即ち、通信デバイスは、無線フレームを受信する場合、最初のＭ個のシンボルの時間領域の長さ内において、受信された最初のＭ個のシンボル内の信号に基づいて、通信デバイス内の受信増幅回路に対してＡＧＣを行う。
【００８８】
当然ながら、送信側となる通信デバイスは、無線フレームを送信する場合、最初のＭ個のシンボルの時間領域の長さ内において、送信された最初のＭ個のシンボルに対応する信号に基づいて、通信デバイス内の送信増幅回路に対してＡＧＣを行うこともできる。
【００８９】
本発明の実施例において、通信デバイスは、最初のＭ個のシンボルの送信に対応する信号又は最初のＭ個のシンボルの受信に対応する信号の時間内においてＡＧＣ調整を行うことができるように、受信又は送信する無線フレームの最初のＭ個のシンボルの総時間領域の長さが通信デバイスのＡＧＣ確立時間の以上である。
【００９０】
具体的に、通信デバイスは、無線フレームを送信する場合、最初のＭ個のシンボルを送信して知られるシーケンスを搬送し、且つ、これらのＭ個のシンボルの総時間領域の長さが通信デバイスのＡＧＣ確立時間の無線フレームの以上であり、通信デバイスは、無線フレームを受信する場合、最初のＭ個のシンボルを受信して知られるシーケンスを搬送し、且つ、これらのＭ個のシンボルの総時間領域の長さが通信デバイスのＡＧＣ確立時間の無線フレーム以上である。
【００９１】
以下、現在のＡＧＣ確立時間（約２０ｕｓ〜６６．６７ｕｓである）を例とし、図５に示すフレーム構成を参照し、本発明の実施例における無線フレームを説明する。図５に示すように、通信デバイスの送信又は受信する無線フレームの間隔が６０キロヘルツであり、無線フレーム内の全てのシンボルの時間領域の長さが１／（１５ｋＨｚ）／４であり、最初の４個のシンボルの総時間領域の長さが１／（１５ｋＨｚ）（即ちＭ＝４）であり、且つ、最初の４個のシンボルには、知られるシーケンスが搬送される。
【００９２】
通信デバイスは、図５に示すフレームを送信する場合、最初の４個のシンボルの総時間領域の長さ１／１４ミリ秒が通信デバイスのＡＧＣ確立時間の下限時間２０ｕｓより大きく、且つ、これらの４個のシンボルに搬送されるシーケンスが知られるものであるため、最初の４個のシンボルの送信に対応する信号の時間内において、即ち送信する信号に基づいて、送信増幅回路のＡＧＣ調整を行うことができる。通信デバイスは、図５に示すフレームを受信する場合、最初の４個のシンボルの時間領域の長さ１／（１５ｋＨｚ）が通信デバイスのＡＧＣ確立時間の下限時間２０ｕｓより大きく、且つ、これらの４個のシンボルに搬送されるシーケンスが知られるものであるため、最初の４個のシンボルの受信に対応する信号の時間内において、即ち受信する信号に基づいて、受信増幅回路のＡＧＣ調整を行うことができる。
【００９３】
通常、無線フレームのキャリア間隔が１５＊２ｋキロヘルツである場合、無線フレーム内の全てのシンボルの時間領域の長さが１／（１５ｋＨｚ）／２ｋであってもよい。この場合、最初のＭ個のシンボルの総時間領域の長さは、１つの選択可能な値として１／（１５ｋＨｚ）になる。
【００９４】
本発明の実施例において、無線フレームの最初のＭ個のシンボルに搬送されるシーケンスが通信デバイスに知られるシーケンスであることは、無線フレームの最初のＭ個のシンボルには指定されたシーケンスが搬送されている。具体的に、無線フレームの最初のＭ個のシンボルに搬送されるシーケンスは、当該無線フレームを送信する通信デバイスと当該無線フレームを受信する通信デバイスとが予め知られる又は約束されたシーケンスであり、即ち、最初のＭ個のシンボルに搬送される情報は、通信両側の通信デバイスに知られるものである。当該シーケンスは、基地局により通信デバイスに構成されたものであってもよいし、通信デバイスに予め設定されたものであってもよい。
【００９５】
さらに、無線フレームの最初のＭ個のシンボルに搬送されるシーケンスが知られるものであるため、受信側となる通信デバイス（図１に示す端末デバイス）は、さらに、最初のＭ個のシンボルに対応する信号を利用しチャネル推定を行うことができる。
【００９６】
本発明の上記の実施例の通信方法において、無線フレームは、１番目のシンボルの時間領域の長さがその他のシンボルの時間領域の長さより大きい無線フレームである場合、当該無線フレーム内の１番目のシンボルをトレーニングシンボルともいう。無線フレームは、全てのシンボルの時間領域の長さが等しく且つ最初のＭ個のシンボルに知られるシーケンスが搬送されるフレームである場合、当該無線フレーム内の最初のＭ個のシンボルをトレーニングシンボルとも言う。
【００９７】
本発明の実施例において、選択可能で、通信デバイスが複数の無線フレーム（上りフレーム及び下りフレームを含む）を連続して送信する場合、全ての無線フレームにはトレーニングシンボルが含まれる必要がなく、複数の連続した無線フレームにおいて、１番目の無線フレームのみにはトレーニングシンボルが含まれ、その他の無線フレームにはトレーニングシンボルが含まれなくてもよい。
【００９８】
具体的に、通信デバイスが複数の無線フレームを連続して送信する場合、１番目の無線フレームの１番目のシンボルの時間領域の長さが当該無線フレームのその他のシンボルの時間領域の長さより大きく、２番目の無線フレーム及びその後の無線フレーム内の全てのシンボルの時間領域の長さが同じであり、又は、当該複数の無線フレームのうちの各無線フレーム内の全てのシンボルの時間領域の長さが同じであるが、１番目の無線フレームの最初のＭ個のシンボルには知られるシーケンスが搬送される。
【００９９】
通信デバイス、例えば端末デバイスが複数の無線フレームを連続して送信する必要がある場合、端末デバイスが送信する当該複数の無線フレーム内のシンボルの情報を指示するように、基地局は端末デバイスにスケジューリング命令（指示情報とも言う）を送信してもよい。そして、端末デバイスは、基地局により送信された、無線フレーム内のシンボルを指示するための情報を受信する。例えば、基地局は、端末デバイスにスケジューリング命令を送信し、端末デバイスが基地局に送信する複数の無線フレーム内の１番目の無線フレームにはトレーニングシンボルが含まれるかどうか指示し、即ち、端末デバイスが基地局に１番目のシンボルの時間領域の長さがその他のシンボルの時間領域の長さより大きい無線フレームを送信する必要があるように指示し、又は、端末デバイスが基地局に全てのシンボルの時間領域の長さが等しく且つ最初のＭ個のシンボルに搬送されるシーケンスが知られるシーケンスである無線フレームを送信する必要があるように指示する。１番目の無線フレームにはトレーニングシンボルが含まれる場合、基地局は、さらに、端末デバイスにスケジューリング命令を送信し、当該無線フレーム内のトレーニングシンボルが占用するシンボル数量情報とトレーニングシンボルの時間領域の長さの情報を指示し、及び／又は他の無線フレームにはトレーニングシンボルが含まれるかどうかを指示してもよい。それに対応し、端末デバイスは、基地局により送信されたスケジューリング命令を受信する。
【０１００】
選択可能で、基地局が端末デバイスに複数の無線フレームを連続して送信する場合、基地局は、端末デバイスにスケジューリング命令を送信し、基地局が送信する当該複数の無線フレーム内のシンボルの情報を指示することで、端末デバイスが当該情報に基づいて無線フレームを受信する。例えば、基地局は、端末デバイスにスケジューリング命令を送信し、基地局に送信する複数の無線フレーム内の１番目の無線フレームにはトレーニングシンボルが含まれるかどうかを指示する。１番目の無線フレームにはトレーニングシンボルが含まれる場合、基地局は、さらに、端末デバイスにスケジューリング命令を送信し、当該無線フレーム内のトレーニングシンボルが占用するシンボル数量情報とトレーニングシンボルの時間領域の長さ情報を指示し、及び／又は他の無線フレームにはトレーニングシンボルが含まれるかどうかを指示してもよい。それに対応し、端末デバイスは、基地局により送信されたスケジューリング命令を受信する。
【０１０１】
端末デバイスは、送信電力を制御する必要があり、即ち、いくつかの無線フレームの送信電力を増大又は減少する必要がある場合、基地局からのスケジューリング命令の指示によって、これらの無線フレームを送信する時に、送信する第１無線フレームにはトレーニングシンボルが含まれてもよい。具体的に、端末デバイスにより送信された１番目の無線フレーム内の１番目のシンボルの時間領域の長さがその他のシンボルの長さより大きく、又は、端末デバイスにより送信された１番目の無線フレームにおいて、全てのシンボルの時間領域の長さが等しく且つ最初のＭ個のシンボルに知られるシーケンスが搬送される。
【０１０２】
本発明の実施例において、通信デバイスでの通信システムが多種のｎｕｍｅｒｏｌｏｇｙをサポートしていることができる場合、異なるｎｕｍｅｒｏｌｏｇｙが異なる構成の無線フレームに対応し、即ち、当該通信システムにおける通信デバイスが多種の通信方法を使用することができる。つまり、通信システムが多種のｎｕｍｅｒｏｌｏｇｙをサポートしている場合、送信側となる通信デバイスは、図２に示す通信方法とともに図４に示す通信方法を利用し他の通信デバイスとの通信を行うことができる。
【０１０３】
例えば、通信デバイスは、多種のｎｕｍｅｒｏｌｏｇｙをサポートしている場合、１番目のシンボルの時間領域の長さがその他のシンボルの時間領域の長さより大きい無線フレームを生成し、当該無線フレームを送信してから、全てのシンボルの時間領域の長さが等しく且つ最初のＭ個のシンボルに搬送されるシーケンスが通信デバイスに知られるシーケンスである無線フレームを生成し、当該無線フレームを送信することができる。
【０１０４】
それに対応し、受信側となる通信デバイスは、１番目のシンボルの時間領域の長さがその他のシンボルの時間領域の長さより大きい無線フレームを受信し、当該無線フレームに基づいて処理を行うとともに、全てのシンボルの時間領域の長さが等しく且つ最初のＭ個のシンボルに搬送されるシーケンスが通信デバイスに知られるシーケンスである無線フレームを受信し、当該無線フレームに基づいて処理を行うことができる。
【０１０５】
例えば、通信システムに１２０ｋＨｚと６０ｋＨｚの２つのサブキャリア間隔を有し、通信デバイスは、１２０ｋＨｚのサブキャリア間隔で他の通信デバイスとの通信を行う場合、１番目のシンボルの時間領域の長さがその他のシンボルの時間領域の長さより大きい無線フレームを生成し、当該無線フレームを送信してもよい。通信デバイスは、６０ｋＨｚのサブキャリア間隔で他の通信デバイスとの通信を行う場合、全てのシンボルの時間領域の長さが等しく且つ最初のＭ個のシンボルに搬送されるシーケンスが通信デバイスに知られるシーケンスである無線フレームを生成してもよい。
【０１０６】
また、例えば、基地局は、通信システムに現在使用するｎｕｍｅｒｏｌｏｇｙの情報を端末デバイスに通知（例えば、ブロードキャスト又は専用シグナリングを利用する）してもよい。そして、基地局は、ブロードキャスト又は専用シグナリングを利用し、１番目のシンボルの時間領域の長さがその他のシンボルの時間領域の長さより大きい無線フレーム、及び／又は全てのシンボルの時間領域の長さが等しく且つ最初のＭ個のシンボルに搬送されるシーケンスが通信デバイスに知られるシーケンスである無線フレームを使用し、基地局との通信を行うように端末デバイスに通知する。
【０１０７】
以上、図１〜図５を参照し、本発明の通信方法を説明し、以下、図６〜図１３を参照し、本発明の通信デバイスを説明する。
【０１０８】
図６は本発明の実施例における通信デバイスの構成図である。なお、図６に示す通信デバイス６００が例示的なものであり、本発明の実施例における通信デバイスは、他のモジュールやユニット又は図６内の各モジュールの機能に似ているモジュールを含んでもよく、又は図６内の全てのモジュールを含まない。
【０１０９】
生成モジュール６１０は、第１無線フレームを生成するように構成され、前記第１無線フレーム内の１番目のシンボルの時間領域の長さは、前記第１無線フレーム内のその他のシンボルの時間領域の長さより大きい。
【０１１０】
送信モジュール６２０は、前記第１無線フレームを送信するように構成される。
【０１１１】
本発明の実施例において、通信デバイスは、第１シンボルの時間領域の長さがその他のシンボルの時間領域の長さより長いフレームを送信することで、他の通信デバイスとの通信を行うことができる。
【０１１２】
選択可能で、1つの実施例として、前記１番目のシンボルに搬送されるシーケンスは、前記通信デバイスに知られるシーケンスである。
【０１１３】
本発明の実施例において、第１無線フレームを受信した通信デバイスは、１番目のシンボルに対応する信号を基準信号として処理を行うことができる。
【０１１４】
選択可能で、1つの実施例として、前記送信モジュールは、さらに、少なくとも１つの第２無線フレームを送信するように構成され、前記第２無線フレーム内の全てのシンボルの時間領域の長さは等しい。
【０１１５】
選択可能で、1つの実施例として、前記１番目のシンボルの時間領域の長さは１／（１５キロヘルツ）であり、前記その他のシンボル内のシンボルの時間領域の長さは１／（１５キロヘルツ）／２ｋであり、ｋが正の整数である。
【０１１６】
選択可能で、1つの実施例として、前記生成モジュールは、さらに第３無線フレームを生成するように構成され、前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数であり、前記送信モジュールは、さらに前記第３無線フレームを送信するように構成される。
【０１１７】
選択可能で、1つの実施例として、前記最初のＭ個のＯＦＤＭシンボルの総時間領域の長さは、１／（１５キロヘルツ）である。
【０１１８】
選択可能で、1つの実施例として、前記第３無線フレーム内の各シンボルの時間領域の長さは、１／（１５キロヘルツ）／２ｋであり、ｋが正の整数である。
【０１１９】
選択可能で、1つの実施例として、前記通信デバイスは、基地局であり、ここで、送信モジュールは、さらに、前記第３無線フレームを送信する前に、前記通信デバイスが前記第３無線フレームを送信するように指示するための指示情報を送信するように構成される。
【０１２０】
選択可能で、1つの実施例として、前記通信デバイスは、基地局であり、ここで、前記送信モジュールは、さらに、前記第１無線フレームを送信する前に、前記通信デバイスが前記第１無線フレームを送信するように指示するための指示情報を送信するように構成される。
【０１２１】
選択可能で、1つの実施例として、前記通信デバイスは、端末デバイスであり、ここで、前記送信モジュールは、さらに、前記第３無線フレームを送信する前に、基地局により送信された、前記通信デバイスが前記基地局に前記第３無線フレームを送信する必要があるように指示するための指示情報を受信するに用構成される。
【０１２２】
選択可能で、1つの実施例として、前記通信デバイスは、端末デバイスであり、ここで、前記送信モジュールは、さらに、前記第１無線フレームを送信する前に、基地局により送信された、前記通信デバイスが前記基地局に前記第１無線フレームを送信する必要があるように指示するための指示情報を受信するように構成される。
【０１２３】
なお、図６に示す通信デバイス６００は、図２に示す通信方法の各ステップを実行することができ、簡潔にするために、ここで説明を省略する。
【０１２４】
図７は本発明の実施例における通信デバイスの構成図である。なお、図７に示す通信デバイス７００が例示的なものであり、本発明の実施例における通信デバイスは、他のモジュールやユニット又は図６内の各モジュールの機能に似ているモジュールを含んでもよく、又は図７内の全てのモジュールを含まない。
【０１２５】
生成モジュール７１０は、第１無線フレームを生成するように構成され、前記第１無線フレーム内の全てのシンボルの時間領域の長さは等しく、前記第１無線フレームの最初のＭ個のシンボルに搬送されるシーケンスは、前記通信デバイスに知られるシーケンスであり、Ｍが正の整数である。
【０１２６】
上記の知られるシーケンスについて、無線フレームの１番目のシンボルに搬送されるシーケンスは、当該無線フレームを送信する通信デバイスと当該無線フレームを受信する通信デバイスとが予め知られる又は予定されたシーケンスであり、即ち１番目のシンボルに搬送される情報は、通信両側の通信デバイスに知られるものである。当該シーケンスは、基地局により通信デバイスに構成されたものであってもよいし、通信デバイスに予め設定されたものであってもよい。
【０１２７】
送信モジュール７２０は、前記第１無線フレームを送信するように構成される。
【０１２８】
本発明の実施例において、通信デバイスは、最初のＭ個のシンボルには知られるシーケンスが搬送される無線フレームを送信することで、他の通信デバイスとの通信を行うことができる。
【０１２９】
選択可能で、1つの実施例として、前記最初のＭ個のＯＦＤＭシンボルの総時間領域の長さは、１／（１５キロヘルツ）である。
【０１３０】
選択可能で、1つの実施例として、前記第１無線フレーム内の各シンボルの時間領域の長さが１／（１５キロヘルツ）／２ｋであり、ｋが正の整数である。
【０１３１】
選択可能で、1つの実施例として、前記通信デバイスは、基地局であり、ここで、前記送信モジュールは、さらに、前記第１無線フレームを送信する前に、前記通信デバイスが前記第１無線フレームを送信するように指示するための指示情報を送信するように構成される。
【０１３２】
選択可能で、1つの実施例として、前記通信デバイスは、端末デバイスであり、ここで、前記送信モジュールは、さらに、前記第１無線フレームを送信する前に、基地局により送信された、前記通信デバイスが前記基地局に前記第１無線フレームを送信する必要があるように指示するための指示情報を受信するように構成される。
【０１３３】
なお、図７に示す通信デバイス７００は、図４に示す通信方法内の各ステップを実行することができ、簡潔にするために、ここで説明を省略する。
【０１３４】
図８は本発明の実施例における通信デバイスの構成図である。なお、図８に示す通信デバイス８００が例示的なものであり、本発明の実施例における通信デバイスは、他のモジュールやユニット又は図８内の各モジュールの機能に似ているモジュールを含み、又は図８内の全てのモジュールを含まない。
【０１３５】
受信モジュール８１０は、第１無線フレームを受信するように構成され、前記第１無線フレーム内の１番目のシンボルの時間領域の長さは、前記第１無線フレーム内のその他のシンボルの時間領域の長さより大きい。
【０１３６】
処理モジュール８２０は、前記第１無線フレームに基づいて処理を行うように構成される。
【０１３７】
本発明の実施例において、通信デバイスは、第１シンボルの時間領域の長さがその他のシンボルの時間領域の長さより長いフレームを受信することで、他の通信デバイスとの通信を行うことができる。
【０１３８】
選択可能で、1つの実施例として、前記１番目のシンボルに搬送されるシーケンスは、前記通信デバイスに知られるシーケンスである。
【０１３９】
上記の知られるシーケンスについて、無線フレームの１番目のシンボルに搬送されるシーケンスは、当該無線フレームを送信する通信デバイスと当該無線フレームを受信する通信デバイスとが予め知られる又は予定されたシーケンスであり、即ち、１番目のシンボルに搬送される情報は、通信両側の通信デバイスに知られるものである。当該シーケンスは、基地局により通信デバイスに構成されたものであってもよいし、通信デバイスに予め設定されたものであってもよい。
【０１４０】
選択可能で、1つの実施例として、前記受信モジュールは、さらに、少なくとも１つの第２無線フレームを受信するように構成され、前記第２無線フレーム内の全てのシンボルの時間領域の長さは等しい。
【０１４１】
選択可能で、1つの実施例として、前記１番目のシンボルの時間領域の長さは１／（１５キロヘルツ）であり、前記その他のシンボル内のシンボルの時間領域の長さは１／（１５キロヘルツ）／２ｋであり、ｋが正の整数である。
【０１４２】
選択可能で、1つの実施例として、前記受信モジュールは、さらに、第３無線フレームを受信するように構成され、前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数である。
【０１４３】
選択可能で、1つの実施例として、前記最初のＭ個のＯＦＤＭシンボルの総時間領域の長さは、１／（１５キロヘルツ）である。
【０１４４】
選択可能で、1つの実施例として、前記第３無線フレーム内の各シンボルの時間領域の長さは、１／（１５キロヘルツ）／２ｋであり、ｋが正の整数である。
【０１４５】
選択可能で、1つの実施例として、前記通信デバイスは、基地局であり、ここで、前記通信デバイスは、さらに第１送信モジュールを含み、前記第１送信モジュールは、前記受信モジュールが前記第３無線フレームを受信する前に、端末デバイスが前記通信デバイスに第３無線フレームを送信するように指示するための指示情報を前記端末デバイスに送信するように構成される。
【０１４６】
選択可能で、1つの実施例として、前記通信デバイスは、基地局であり、ここで、前記通信デバイスは、さらに第２送信モジュールを含み、前記第２送信モジュールは、前記受信モジュールが前記第１無線フレームを受信する前に、前記端末デバイスが前記通信デバイスに前記第１無線フレームを送信するように指示するための指示情報を端末デバイスに送信するように構成される。
【０１４７】
選択可能で、1つの実施例として、前記通信デバイスは、端末デバイスであり、ここで、前記受信モジュールは、さらに、前記第３無線フレームを受信する前に、基地局により送信された、前記基地局が前記通信デバイスに第３無線フレームを送信するように指示するための指示情報を受信するように構成される。
【０１４８】
選択可能で、1つの実施例として、前記通信デバイスは、端末デバイスであり、ここで、前記受信モジュールは、さらに、前記第１無線フレームを受信する前に、基地局により送信された、前記基地局が前記通信デバイスに前記第１無線フレームを送信するように指示するための指示情報を受信するように構成される。
【０１４９】
図９は本発明の実施例における通信デバイスの構成図である。なお、図９に示す通信デバイス９００が例示的なものであり、本発明の実施例における通信デバイスは、他のモジュールやユニット又は図９内の各モジュールの機能に似ているモジュールを含み、又は図９内の全てのモジュールを含まない。
【０１５０】
受信モジュール９１０は、第１無線フレームを受信するように構成され、前記第１無線フレーム内の最初のＭ個のシンボルに搬送されるシーケンスは、前記通信デバイスに知られるシーケンスであり、前記最初のＭ個のシンボル内のシンボルの時間領域の長さは、他のシンボル内のシンボルの時間領域の長さに等しく、Ｍが正の整数である。
【０１５１】
処理モジュール９２０は、前記第１無線フレームに基づいて処理を行うように構成される。
【０１５２】
本発明の実施例において、通信デバイスは、最初のＭ個のシンボルには知られるシーケンスが搬送される無線フレームを受信することで、他の通信デバイスとの通信を行うことができる。
【０１５３】
上記の知られるシーケンスについて、無線フレームの最初のＭ個のシンボルに搬送されるシーケンスは、当該無線フレームを送信する通信デバイスと当該無線フレームを受信する通信デバイスとが予め知られる又は予定されたシーケンスであり、即ち最初のＭ個のシンボルに搬送される情報は、通信両側の通信デバイスに知られるものである。
【０１５４】
選択可能で、1つの実施例として、前記最初のＭ個のＯＦＤＭシンボルの総時間領域の長さは、１／（１５キロヘルツ）である。
【０１５５】
選択可能で、1つの実施例として、その他のシンボル内のシンボルの時間領域の長さは１／（１５キロヘルツ）／２ｋであり、ｋが正の整数である。
【０１５６】
選択可能で、1つの実施例として、前記通信デバイスは、基地局であり、ここで、前記通信デバイスは、さらに送信モジュールを含み、前記送信モジュールは、前記受信モジュールが前記第１無線フレームを受信する前に、前記端末デバイスが前記通信デバイスに前記第１無線フレームを送信するように指示するための指示情報を端末デバイスに送信するように構成される。
【０１５７】
選択可能で、1つの実施例として、前記通信デバイスは、端末デバイスであり、ここで、前記受信モジュールは、さらに、前記第１無線フレームを受信する前に、基地局により送信された、前記基地局が前記通信デバイスに前記第１無線フレームを送信するように指示するための指示情報を受信するように構成される。
【０１５８】
図１０は本発明の実施例における通信デバイスの構成図である。図１０に示す通信デバイス１０００は、プロセッサー１０１０、メモリ１０２０、受信機１０３０及び送信機１０４０を含む。
【０１５９】
メモリ１０１０は、プログラムを記憶するように構成される。
【０１６０】
プロセッサー１０２０は、前記メモリ１０１０に記憶されるプログラムを実行するように構成される。
【０１６１】
前記プロセッサー１０２０は、前記メモリ１０１０に記憶されるプログラムを実行する場合、第１無線フレームを生成すように構成され、前記第１無線フレーム内の１番目のシンボルの時間領域の長さは、前記第１無線フレーム内のその他のシンボルの時間領域の長さより大きい。
【０１６２】
前記プロセッサー１０２０が前記メモリ１０１０に記憶されるプログラムを実行する場合、前記送信機１０２０が前記第１無線フレームを送信するように構成される。
【０１６３】
本発明の実施例において、通信デバイスは、第１シンボルの時間領域の長さがその他のシンボルの時間領域の長さより長いフレームを送信することで、他の通信デバイスとの通信を行うことができる。
【０１６４】
選択可能で、1つの実施例として、前記１番目のシンボルに搬送されるシーケンスは、前記通信デバイスに知られるシーケンスである。
【０１６５】
本発明の実施例において、第１無線フレームを受信した通信デバイスは、１番目のシンボルに対応する信号を基準信号として処理を行うことができる。
【０１６６】
選択可能で、1つの実施例として、前記送信機１０４０は、さらに、少なくとも１つの第２無線フレームを送信するように構成され、前記第２無線フレーム内の全てのシンボルの時間領域の長さは等しい。
【０１６７】
選択可能で、1つの実施例として、前記１番目のシンボルの時間領域の長さは１／（１５キロヘルツ）であり、他のシンボル内のシンボルの時間領域の長さは１／（１５キロヘルツ）／２ｋであり、ｋが正の整数である。
【０１６８】
選択可能で、1つの実施例として、前記プロセッサーは、さらに、第３無線フレームを生成するように構成され、前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数であり、前記送信機は、さらに前記第３無線フレームを送信するように構成される。
【０１６９】
選択可能で、1つの実施例として、前記最初のＭ個のＯＦＤＭシンボルの総時間領域の長さは、１／（１５キロヘルツ）である。
【０１７０】
選択可能で、1つの実施例として、前記第３無線フレーム内の各シンボルの時間領域の長さは、１／（１５キロヘルツ）／２ｋであり、ｋが正の整数である。
【０１７１】
選択可能で、1つの実施例として、前記通信デバイスは、基地局であり、ここで、前記送信機は、さらに、前記第３無線フレームを送信する前に、前記通信デバイスが前記第３無線フレームを送信するように指示するための指示情報を送信するように構成される。
【０１７２】
選択可能で、1つの実施例として、前記通信デバイスは、基地局であり、ここで、前記送信機は、さらに、前記第１無線フレームを送信する前に、前記通信デバイスが前記第１無線フレームを送信するように指示するための指示情報を送信するように構成される。
【０１７３】
選択可能で、1つの実施例として、前記通信デバイスは、端末デバイスであり、ここで、前記送信機は、さらに、前記第３無線フレームを送信する前に、基地局により送信された、前記通信デバイスが前記基地局に前記第３無線フレームを送信する必要があるように指示するための指示情報を受信するに用構成される。
【０１７４】
選択可能で、1つの実施例として、前記通信デバイスは、端末デバイスであり、ここで、前記送信機は、さらに、前記第１無線フレームを送信する前に、基地局により送信された、前記通信デバイスが前記基地局に前記第１無線フレームを送信する必要があるように指示するための指示情報を受信するように構成される。
【０１７５】
なお、図１０に示す通信デバイス１０００は、図２に示す通信方法において通信デバイスが実行する各ステップを実行することができ、簡潔にするために、ここで説明を省略する。
【０１７６】
図１１は本発明の実施例における通信デバイスの構成図である。図１１に示す通信デバイス１１００は、プロセッサー１１１０、メモリ１１２０、受信機１１３０及び送信機１１４０を含む。
【０１７７】
メモリ１１１０は、プログラムを記憶するように構成される。
【０１７８】
プロセッサー１１２０は、前記メモリ１１１０に記憶されるプログラムを実行するように構成される。
【０１７９】
前記プロセッサー１１２０は、前記メモリ１１１０に記憶されるプログラムを実行する場合、第１無線フレームを生成するように構成され、前記第１無線フレーム内の全てのシンボルの時間領域の長さは等しく、前記第１無線フレームの最初のＭ個のシンボルに搬送されるシーケンスが前記通信デバイスに知られるシーケンスであり、前記第１無線フレーム内の各シンボルの時間領域の長さが１／（１５キロヘルツ）／２ｋであり、Ｍが正の整数であり、ｋが正の整数である。
【０１８０】
前記プロセッサー１１２０が前記メモリ１１１０に記憶されるプログラムを実行する場合、前記送信機１１４０が前記第１無線フレームを送信する。
【０１８１】
本発明の実施例において、通信デバイスは、最初のＭ個のシンボルに知られるシーケンスが搬送される無線フレームを送信することで、他の通信デバイスとの通信を行うことができる。
【０１８２】
選択可能で、1つの実施例として、前記最初のＭ個のＯＦＤＭシンボルの総時間領域の長さは、１／（１５キロヘルツ）である。
【０１８３】
選択可能で、1つの実施例として、前記通信デバイスは、基地局であり、ここで、前記送信機は、さらに、前記第１無線フレームを送信する前に、前記通信デバイスが前記第１無線フレームを送信するように指示するための指示情報を送信するように構成される。
【０１８４】
選択可能で、1つの実施例として、前記通信デバイスは、端末デバイスであり、ここで、前記送信機は、さらに、前記第１無線フレームを送信する前に、基地局により送信された、前記通信デバイスが前記基地局に前記第１無線フレームを送信する必要があるように指示するための指示情報を受信するように構成される。
【０１８５】
図１１に示す通信デバイス１１００は、図４に示す通信方法において通信デバイスが実行する各ステップを実行することができ、簡潔にするために、ここで説明を省略する。
【０１８６】
図１２は本発明の実施例における通信デバイスの構成図である。図１２に示す通信デバイス１２００は、プロセッサー１２１０、メモリ１２２０、受信機１２３０及び送信機１２４０を含む。
【０１８７】
メモリ１２１０は、プログラムを記憶するように構成される。
【０１８８】
プロセッサー１２２０は、前記メモリ１２１０に記憶されるプログラムを実行するように構成される。
【０１８９】
前記プロセッサー１２２０が前記メモリ１２１０に記憶されるプログラムを実行する場合、前記受信機１２３０が受信第１無線フレームを受信するように構成され、前記第１無線フレーム内の１番目のシンボルの時間領域の長さは、前記第１無線フレーム内のその他のシンボルの時間領域の長さより大きい。
【０１９０】
前記プロセッサー１２２０は、具体的に、前記第１無線フレームに基づいて処理を行うように構成される。
【０１９１】
本発明の実施例において、通信デバイスは、第１シンボルの時間領域の長さがその他のシンボルの時間領域の長さより長いフレームを受信することで、他の通信デバイスとの通信を行うことができる。
【０１９２】
選択可能で、1つの実施例として、前記１番目のシンボルに搬送されるシーケンスは、前記通信デバイスに知られるシーケンスである。
【０１９３】
選択可能で、1つの実施例として、前記受信機１２３０は、さらに、少なくとも１つの第２無線フレームを受信するように構成され、前記第２無線フレーム内の全てのシンボルの時間領域の長さは等しい。
【０１９４】
選択可能で、1つの実施例として、前記１番目のシンボルの時間領域の長さは１／（１５キロヘルツ）であり、他のシンボル内のシンボルの時間領域の長さは１／（１５キロヘルツ）／２ｋであり、ｋが正の整数である。
【０１９５】
選択可能で、1つの実施例として、前記受信モジュールは、さらに、第３無線フレームを受信するように構成され、前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数である。
【０１９６】
選択可能で、1つの実施例として、前記最初のＭ個のＯＦＤＭシンボルの総時間領域の長さは、１／（１５キロヘルツ）である。
【０１９７】
選択可能で、1つの実施例として、前記第３無線フレーム内の各シンボルの時間領域の長さは、１／（１５キロヘルツ）／２ｋであり、ｋが正の整数である。
【０１９８】
選択可能で、1つの実施例として、前記通信デバイスは、基地局であり、ここで、前記送信機は、前記受信機が前記第３無線フレームを受信する前に、端末デバイスが前記通信デバイスに第３無線フレームを送信するように指示するための指示情報を前記端末デバイスに送信するように構成される。
【０１９９】
選択可能で、1つの実施例として、前記通信デバイスは、基地局であり、ここで、前記送信機は、前記受信機が前記第１無線フレームを受信する前に、端末デバイスが前記通信デバイスが前記第１無線フレームを送信するように指示するための指示情報を前記端末デバイスに送信するように構成される。
【０２００】
選択可能で、1つの実施例として、前記通信デバイスは、端末デバイスであり、ここで、前記受信機は、前記第３無線フレームを受信する前、基地局により送信された、前記基地局が前記通信デバイスに第３無線フレームを送信するように指示するための指示情報を受信するように構成される。
【０２０１】
選択可能で、1つの実施例として、前記通信デバイスは、端末デバイスであり、ここで、前記受信機は、さらに、前記第１無線フレームを受信する前に、基地局送信された、前記基地局が前記通信デバイスに前記第１無線フレームを送信するように指示するための指示情報を受信するように構成される
図１３は本発明の実施例における通信デバイスの構成図である。図１３に示す通信デバイス１３００は、プロセッサー１３１０、メモリ１３２０、受信機１３３０及び送信機１３４０を含む。
【０２０２】
メモリ１３１０は、プログラムを記憶するように構成される。
【０２０３】
プロセッサー１３２０は、前記メモリ１３１０に記憶されるプログラムを実行するように構成される。
【０２０４】
前記プロセッサー１３２０は、前記メモリ１３１０に記憶されるプログラムを実行する場合、第１無線フレームを受信するように構成され、前記第１無線フレーム内の最初のＭ個のシンボルに搬送されるシーケンスは、前記通信デバイスに知られるシーケンスであり、前記最初のＭ個のシンボル内のシンボルの時間領域の長さは、他のシンボル内のシンボルの時間領域の長さに等しく、Ｍが正の整数であり、他のシンボル内のシンボルの時間領域の長さは１／（１５キロヘルツ）／２ｋであり、ｋが正の整数である。
【０２０５】
前記プロセッサー１３２０は、具体的に、前記第１無線フレームに基づいて処理を行うように構成される。
【０２０６】
本発明の実施例において、通信デバイスは、最初のＭ個のシンボルに知られるシーケンスが搬送される無線フレームを受信することで、他の通信デバイスとの通信を行うことができる。
【０２０７】
選択可能で、1つの実施例として、前記最初のＭ個のＯＦＤＭシンボルの総時間領域の長さは、１／（１５キロヘルツ）である。
【０２０８】
選択可能で、1つの実施例として、前記通信デバイスは、基地局であり、ここで、前記送信機は、前記受信機が前記第１無線フレームを受信する前に、前記端末デバイスが前記通信デバイスに前記第１無線フレームを送信するように指示するための指示情報を端末デバイスに送信するように構成される。
【０２０９】
選択可能で、1つの実施例として、前記通信デバイスは、端末デバイスであり、ここで、前記受信機は、さらに、前記第１無線フレームを受信する前に、基地局送信された、前記基地局が前記通信デバイスに前記第１無線フレームを送信するように指示するための指示情報を受信するように構成される。
【０２１０】
なお、本発明の実施例におけるプロセッサは集積回路チップであってもよく、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現、又は実行することができる。汎用プロセッサはマイクロプロセッサであってもよく、又は該プロセッサはいずれかの通常のプロセッサなどであってもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０２１１】
なお、本発明の実施例におけるメモリは揮発性記憶装置又は不揮発性記憶装置であってもよく、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきこととして、本明細書に記載のシステムと方法のメモリは、これら、及びいずれかのその他の適切なタイプのメモリを含むことを主旨しているが、これらに限定されない。
【０２１２】
また、本明細書に記載される「システム」及び「ネットワーク」という単語は交換可能に使用される。本明細書に記載される「及び／又は」、関連対象の関連関係を説明するものだけであり、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【０２１３】
なお、本発明の実施例において、「Ａに対応するＢ」は、ＢがＡに関連し、ＡによってＢを確定することを示す。ただし、ＡによってＢを確定することは、ＡのみによってＢを確定することを意味しなく、Ａ及び／又は他の情報によってＢを確定してもよい。
【０２１４】
本願に開示されている実施例に説明されている各例示的なユニット及びアルゴリズムのステップは、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２１５】
当業者は、説明の便利と簡潔上、上記に記載されているシステム、装置及びユニットの具体的な動作については、上記の方法実施例の対応されているフローを参照することができ、ここで説明を省略する。
【０２１６】
本願に提供されている幾つかの実施例において、開示されているシステム、装置及び方法は、そのその他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。一方、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はそのその他の形式であっても良い。
【０２１７】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２１８】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２１９】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２２０】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019527966.tif 000003
【図２】
2019527966.tif 000004
【図３】
2019527966.tif 000005
【図４】
2019527966.tif 000006
【図５】
2019527966.tif 000007
【図６】
2019527966.tif 000008
【図７】
2019527966.tif 000009
【図８】
2019527966.tif 000010
【図９】
2019527966.tif 000011
【図１０】
2019527966.tif 000012
【図１１】
2019527966.tif 000013
【図１２】
2019527966.tif 000014
【図１３】
2019527966.tif 000015
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
通信方法であって、
通信デバイスは、第１無線フレームを生成することと、
前記通信デバイスは、前記第１無線フレームを送信することとを含み、
前記第１無線フレーム内の１番目のシンボルの時間領域の長さは、前記第１無線フレーム内のその他のシンボルの時間領域の長さより大きい
ことを特徴とする通信方法。
【請求項２】
前記１番目のシンボルに搬送されるシーケンスは、前記通信デバイスに知られるシーケンスである
ことを特徴とする請求項１に記載の通信方法。
【請求項３】
前記通信方法は、さらに、
前記通信デバイスが、少なくとも１つの第２無線フレームを送信することを含み、
前記第２無線フレーム内の全てのシンボルの時間領域の長さは等しい
ことを特徴とする請求項１又は２に記載の通信方法。
【請求項４】
前記１番目のシンボルの時間領域の長さは、１／（１５キロヘルツ）であり、前記その他のシンボルの時間領域の長さは、１／（１５キロヘルツ）／２ｋであり、ｋが正の整数である
ことを特徴とする請求項１〜３のいずれか１項に記載の通信方法。
【請求項５】
前記通信方法は、さらに、
前記通信デバイスが、第３無線フレームを生成することと、
前記通信デバイスが、前記第３無線フレームを送信することとを含み、
前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数である
ことを特徴とする請求項１〜４のいずれか１項に記載の通信方法。
【請求項６】
前記最初のＭ個のシンボルの総時間領域の長さは、１／（１５キロヘルツ）である
ことを特徴とする請求項５に記載の通信方法。
【請求項７】
前記第３無線フレーム内の各シンボルの時間領域の長さは、１／（１５キロヘルツ）／２ｋである
ことを特徴とする請求項５又は６に記載の通信方法。
【請求項８】
前記通信デバイスは、基地局であり、
前記通信方法は、さらに、
前記通信デバイスが、前記第３無線フレームを送信する前に、前記通信デバイスが前記第３無線フレームを送信するように指示するための指示情報を送信すること、
及び／又は、
前記通信デバイスが、前記第１無線フレームを送信する前に、前記通信デバイスが前記第１無線フレームを送信するように指示するための指示情報を送信すること、
を含む
ことを特徴とする請求項５〜７のいずれか１項に記載の通信方法。
【請求項９】
前記通信デバイスは、端末デバイスであり、
前記通信方法は、さらに、
前記通信デバイスが、前記第３無線フレームを送信する前に、基地局により送信された、前記通信デバイスが前記基地局に前記第３無線フレームを送信する必要があるように指示するための指示情報を受信すること、
及び／又は、
前記通信デバイスが、前記第１無線フレームを送信する前に、基地局により送信された、前記通信デバイスが前記基地局に前記第１無線フレームを送信する必要があるように指示するための指示情報を受信すること、
を含む
ことを特徴とする請求項５〜７のいずれか１項に記載の通信方法。
【請求項１０】
複数の無線フレームが連続する場合、１番目の無線フレームの１番目のシンボルの時間領域の長さが当該無線フレームのその他のシンボルの時間領域の長さより大きく、その後の無線フレーム内の全てのシンボルの時間領域の長さが同じである
ことを特徴とする請求項１に記載の通信方法。
【請求項１１】
通信方法であって、
通信デバイスは、第１無線フレームを生成することと、
前記通信デバイスは、前記第１無線フレームを送信することと、を含み、
前記第１無線フレーム内の全てのシンボルの時間領域の長さは等しく、前記第１無線フレームの最初のＭ個のシンボルに搬送されるシーケンスは、前記通信デバイスに知られるシーケンスであり、Ｍが正の整数である
ことを特徴とする通信方法。
【請求項１２】
前記最初のＭ個のＯＦＤＭシンボルの総時間領域の長さは、１／（１５キロヘルツ）である
ことを特徴とする請求項１１に記載の通信方法。
【請求項１３】
前記第１無線フレーム内の各シンボルの時間領域の長さが１／（１５キロヘルツ）／２ｋであり、ｋが正の整数である
ことを特徴とする請求項１１又は１２に記載の通信方法。
【請求項１４】
前記通信デバイスは、基地局であり、
前記通信方法は、さらに、
前記通信デバイスが、前記第１無線フレームを送信する前に、前記通信デバイスが前記第１無線フレームを送信するように指示するための指示情報を送信することを含む
ことを特徴とする請求項１１〜１３のいずれか１項に記載の通信方法。
【請求項１５】
前記通信デバイスは、端末デバイスであり、
前記通信方法は、さらに、
前記通信デバイスが、前記第１無線フレームを送信する前に、基地局により送信された、前記通信デバイスが前記基地局に前記第１無線フレームを送信する必要があるように指示するための指示情報を受信することを含む
ことを特徴とする請求項１１〜１３のいずれか１項に記載の通信方法。
【請求項１６】
通信方法であって、
通信デバイスは、第１無線フレームを受信することと、
前記通信デバイスは、前記第１無線フレームに基づいて処理を行うことと、を含み、
前記第１無線フレーム内の１番目のシンボルの時間領域の長さは、前記第１無線フレーム内のその他のシンボルの時間領域の長さより大きい
ことを特徴とする通信方法。
【請求項１７】
前記１番目のシンボルに搬送されるシーケンスは、前記通信デバイスに知られるシーケンスである
ことを特徴とする請求項１６に記載の通信方法。
【請求項１８】
前記通信方法は、さらに、
前記通信デバイスが、少なくとも１つの第２無線フレームを受信することを含み、
前記第２無線フレーム内の全てのシンボルの時間領域の長さは等しい
ことを特徴とする請求項１６又は１７に記載の通信方法。
【請求項１９】
前記１番目のシンボルの時間領域の長さは、１／（１５キロヘルツ）であり、前記その他のシンボル内のシンボルの時間領域の長さは１／（１５キロヘルツ）／２ｋであり、ｋが正の整数である
ことを特徴とする請求項１６〜１８のいずれか１項に記載の通信方法。
【請求項２０】
前記通信方法は、さらに、
通信デバイスが、第３無線フレームを受信することを含み、
前記第３無線フレーム内の全てのシンボルの時間領域の長さは等しく、前記第３無線フレームの最初のＭ個のシンボルに搬送されるシーケンスは、前記通信デバイスに知られるシーケンスであり、Ｍが正の整数である
ことを特徴とする請求項１６〜１９のいずれか１項に記載の通信方法。
【請求項２１】
前記最初のＭ個のＯＦＤＭシンボルの総時間領域の長さは、１／（１５キロヘルツ）である
ことを特徴とする請求項２０に記載の通信方法。
【請求項２２】
前記第３無線フレーム内の各シンボルの時間領域の長さは、１／（１５キロヘルツ）／２ｋである
ことを特徴とする請求項２０又は２１に記載の通信方法。
【請求項２３】
前記通信デバイスは、基地局であり、
前記通信方法は、さらに、
前記通信デバイスが、前記第３無線フレームを受信する前に、端末デバイスが前記通信デバイスに第３無線フレームを送信するように指示するための指示情報を前記端末デバイスに送信すること、
及び／又は、
前記通信デバイスが、前記第１無線フレームを受信する前に、端末デバイスが前記通信デバイスに前記第１無線フレームを送信するように指示するための指示情報を前記端末デバイスに送信すること、
を含む
ことを特徴とする請求項２０〜２２のいずれか１項に記載の通信方法。
【請求項２４】
前記通信デバイスは、端末デバイスであり、
前記通信方法は、さらに、
前記通信デバイスが、前記第３無線フレームを受信する前に、基地局により送信された、前記基地局が前記通信デバイスに第３無線フレームを送信するように指示するための指示情報を受信すること、
及び／又は、
前記通信デバイスが、前記第１無線フレームを受信する前に、基地局により送信された、前記基地局が前記通信デバイスに前記第１無線フレームを送信するように指示するための指示情報を受信すること、
を含む
ことを特徴とする請求項２０〜２２のいずれか１項に記載の通信方法。
【請求項２５】
複数の無線フレームが連続する場合、１番目の無線フレームの１番目のシンボルの時間領域の長さが当該無線フレームのその他のシンボルの時間領域の長さより大きく、その後の無線フレーム内の全てのシンボルの時間領域の長さが同じである
ことを特徴とする請求項１６に記載の通信方法。
【請求項２６】
通信方法であって、
通信デバイスは、第１無線フレームを受信することと、
前記通信デバイスは、前記第１無線フレームに基づいて処理を行うこととを含み、
前記第１無線フレーム内の最初のＭ個のシンボルに搬送されるシーケンスは、前記通信デバイスに知られるシーケンスであり、前記最初のＭ個のシンボル内のシンボルの時間領域の長さは、その他のシンボル内のシンボルの時間領域の長さに等しく、Ｍが正の整数である
ことを特徴とする通信方法。
【請求項２７】
前記最初のＭ個のＯＦＤＭシンボルの総時間領域の長さは、１／（１５キロヘルツ）である
ことを特徴とする請求項２６に記載の通信方法。
【請求項２８】
前記その他のシンボル内のシンボルの時間領域の長さは、１／（１５キロヘルツ）／２ｋであり、ｋが正の整数である
ことを特徴とする請求項２６又は２７に記載の通信方法。
【請求項２９】
前記通信デバイスは、基地局であり、
前記通信方法は、さらに、
前記通信デバイスが、前記第１無線フレームを受信する前に、端末デバイスが前記通信デバイスに前記第１無線フレームを送信するように指示するための指示情報を前記端末デバイスに送信することを含む
ことを特徴とする請求項２６〜２８のいずれか１項に記載の通信方法。
【請求項３０】
前記通信デバイスは、端末デバイスであり、
前記通信方法は、さらに、
前記通信デバイスが、前記第１無線フレームを受信する前に、基地局により送信された、前記基地局が前記通信デバイスに前記第１無線フレームを送信するように指示するための指示情報を受信することを含む
ことを特徴とする請求項２６〜２８のいずれか１項に記載の通信方法。
【請求項３１】
通信デバイスであって、
第１無線フレームを生成するように構成される生成モジュールと、
前記第１無線フレームを送信するように構成される送信モジュールと、を含み、
前記第１無線フレーム内の１番目のシンボルの時間領域の長さは、前記第１無線フレーム内のその他のシンボルの時間領域の長さより大きい
ことを特徴とする通信デバイス。
【請求項３２】
通信デバイスであって、
第１無線フレームを生成するように構成される生成モジュールと、
前記第１無線フレームを送信するように構成される送信モジュールと、を含み、
前記第１無線フレーム内の全てのシンボルの時間領域の長さは等しく、前記第１無線フレームの最初のＭ個のシンボルに搬送されるシーケンスが前記通信デバイスに知られるシーケンスであり、Ｍが正の整数である
ことを特徴とする通信デバイス。
【国際調査報告】
2019527966.tif 000016
2019527966.tif 000017
2019527966.tif 000018
2019527966.tif 000019